(57)【要約】【課題】受信装置において、ユーザによる国設定動作を行う必要なく、ＤＶＢ−Ｔ規格の地上ディジタル放送のチャンネル設定を実行可能にする。【解決手段】受信装置の制御部は、ＵＨＦ帯の物理チャンネルについてチャンネル設定を開始し（Ｓ１１）、受信可能な各物理チャンネルのＴＳのＮＩＴからオリジナルネットワークＩＤを取得する（Ｓ１３）。ＵＨＦ帯の全チャンネルについてチャンネル設定が終了すると（Ｓ１５：ＹＥＳ）、制御部は、取得された物理チャンネルのオリジナルネットワークＩＤに基づき、受信装置が用いられる国を識別する国設定処理を行う（Ｓ２１）。国設定処理を終了すると（Ｓ２１）、国設定に対応するサーチプランに基づき、ＶＨＦ帯の物理チャンネルについてチャンネル設定を実行する（Ｓ２３）。ユーザの操作によらずに国設定処理を行ってチャンネル設定を実行可能であるので、ユーザの負担を軽減することができる。【選択図】図３
2009152740.tif 000002
【特許請求の範囲】
【請求項１】
装置各部の動作を制御する制御部と、
ＤＶＢ−Ｔ（Digital Video Broadcasting ‐ Terrestrial）規格に基づく地上ディジタル放送の物理チャンネルのうち、前記制御部により指定された物理チャンネルを選局し受信するチューナと、
前記チューナにより受信された地上ディジタル放送信号を復調しトランスポートストリームとして出力する復調部と、
前記復調部から出力されたトランスポートストリームに含まれる符号化された映像信号及び音声信号を復号する復号部とを備え、
前記制御部は、
所定のサーチプランに基づいて、視聴可能な物理チャンネルを抽出しチャンネルリストとして設定するチャンネル設定を行うチャンネル設定手段と、
前記チャンネル設定手段により設定されたチャンネルリストから物理チャンネルを選択し、当該物理チャンネルを選局するように前記チューナに指定するチャンネル指定手段とを有している受信装置において、
前記チャンネル設定手段は、ＵＨＦ帯の物理チャンネルについて前記チャンネル設定を行い、それにより抽出された物理チャンネルのトランスポートストリームのＮＩＴ（Network Information Table）に含まれる所定の識別情報に基づき、当該装置が用いられる国を識別し国設定として登録する国設定処理を行い、当該登録された国設定に対応する所定のサーチプランに基づいて、ＶＨＦ帯の物理チャンネルについて前記チャンネル設定を行うことを特徴とする受信装置。
【請求項２】
前記チャンネル設定手段は、前記国設定処理を行うとき、前記識別情報に加え、各物理チャンネルの選局時に得られる受信レベル情報を用いて、当該装置が用いられる国を識別することを特徴とする請求項１記載の受信装置。
【請求項３】
前記識別情報は、オリジナルネットワークＩＤ（original_network_id）であることを特徴とする請求項１又は請求項２に記載の受信装置。
【発明の詳細な説明】
【技術分野】
【０００１】
本発明は、ＤＶＢ−Ｔ（Digital Video Broadcasting ‐ Terrestrial）規格に基づく地上ディジタル放送を受信する受信装置に関する。
【背景技術】
【０００２】
一般に、地上ディジタル放送の受信装置で視聴可能にするためには、装置の購入後や装置の移転時に、視聴に先立って、ユーザが視聴しうる物理チャンネルをチャンネルリストとして設定するチャンネル設定を行う必要がある。このチャンネル設定に関し、例えば特許文献１には、最初の検索結果で得られたチャンネル情報からその地域で放送されるチャンネル情報を取得してチャンネル設定を行うディジタル放送の選局装置が開示されている。
【０００３】
ところで、例えば欧州などで行われているＤＶＢ−Ｔ（Digital Video Broadcasting - Terrestrial）規格に基づく地上ディジタル放送において、ＶＨＦ帯の物理チャンネルの周波数が国毎に予め定められている。地上波ディジタル放送を受信する受信装置には、受信対象となりうる物理チャンネルの周波数情報が予め国毎にサーチプランとして設定されている。従来、例えば、受信装置において例えば電源投入後の初期設定を行うとき、ユーザによりその受信装置が設置される国を指定する国設定が行われ、その後に、そのとき設定された国に対応するサーチプランに基づいて、チャンネル設定が自動的に行われる。これにより、例えば国毎に物理チャンネルの周波数や物理チャンネル間の周波数のステップが微妙に異なるような場合であっても、その国に適したチャンネル設定を行うことができる。
【０００４】
しかしながら、上記のように、チャンネル設定を自動的に実行するために必要な国設定の選択は、ユーザにとっては手間がかかるものであるという問題があり、ユーザの操作が無くとも、自動的に実行されることが望まれていた。この問題に関して、特許文献１の選局装置は、地域が異なっても物理チャンネルの周波数が同じである場合にのみ適用可能なものであり、国毎に物理チャンネルの周波数が異なる場合には、このような問題点に対して適用可能ではない。
【０００５】
特許文献２には、アナログ放送のチャンネル検索で検索されたチャンネル情報を元にディジタル放送のチャンネル検索を行う受信装置が開示されている。しかしながら、特許文献２には、アナログ放送が放送されていない場合に受信地域を決定することは開示されておらず、上記問題点を解決することができない。
【０００６】
特許文献３には、複数のチューナで同時にチャンネルサーチを行い、終了したチャンネルサーチのプリセット情報に基づいて、他のチャンネルサーチの継続時にも番組を視聴可能にした放送受信装置が開示されている。特許文献４には、サーチ開始時にディジタル放送をサーチする周波数を算出し、ＲＦ部にその周波数を設定した段階で放送波の有無を確認し、その周波数を記録する受信装置が開示されている。また、特許文献５には、ＴＶ放送とＣＡＴＶ放送とで受信可能な周波数をサーチした後にスプリアス周波数を算出し、放送形態を適切に判断できるようにした受信装置が開示されている。しかしながら、特許文献３乃至特許文献５には、国毎に物理チャンネルの周波数が異なる場合に適用可能なチャンネル設定の方法など、上記問題点に対し有効な解決策は開示されていない。
【特許文献１】特開２００６−２０１７８号公報
【特許文献２】特開２００６−１９７１６６号公報
【特許文献３】特開２００６−２１１４２４号公報
【特許文献４】特開２００７−１７４６９６号公報
【特許文献５】特開２００７−２６６６８３号公報
【発明の開示】
【発明が解決しようとする課題】
【０００７】
本発明は、上記問題点を鑑みてなされたものであり、ユーザによる国設定動作を行う必要なく、地上ディジタル放送のチャンネル設定動作を実行可能であり、ユーザの負担を軽減することができ容易に使用可能な受信装置を提供することを目的とする。
【課題を解決するための手段】
【０００８】
上記目的を達成するため、請求項１の発明は、装置各部の動作を制御する制御部と、ＤＶＢ−Ｔ（Digital Video Broadcasting - Terrestrial）規格に基づく地上ディジタル放送の物理チャンネルのうち、前記制御部により指定された物理チャンネルを選局し受信するチューナと、前記チューナにより受信された地上ディジタル放送信号を復調しトランスポートストリームとして出力する復調部と、前記復調部から出力されたトランスポートストリームに含まれる符号化された映像信号及び音声信号を復号する復号部とを備え、前記制御部は、所定のサーチプランに基づいて、視聴可能な物理チャンネルを抽出しチャンネルリストとして設定するチャンネル設定を行うチャンネル設定手段と、前記チャンネル設定手段により設定されたチャンネルリストから物理チャンネルを選択し、当該物理チャンネルを選局するように前記チューナに指定するチャンネル指定手段とを有している受信装置において、前記チャンネル設定手段は、ＵＨＦ帯の物理チャンネルについて前記チャンネル設定を行い、それにより抽出された物理チャンネルのトランスポートストリームのＮＩＴ（Network Information Table）に含まれる所定の識別情報に基づき、当該装置が用いられる国を識別し国設定として登録する国設定処理を行い、当該登録された国設定に対応する所定のサーチプランに基づいて、ＶＨＦ帯の物理チャンネルについて前記チャンネル設定を行うものである。
【０００９】
請求項２の発明は、請求項１の発明において、前記チャンネル設定手段は、前記国設定処理を行うとき、前記識別情報に加え、各物理チャンネルの選局時に得られる受信レベル情報を用いて、当該装置が用いられる国を識別するものである。
【００１０】
請求項３の発明は、請求項１又は請求項２の発明において、前記識別情報は、オリジナルネットワークＩＤ（original_network_id）であるものである。
【発明の効果】
【００１１】
請求項１の発明によれば、チャンネル設定手段が、まず、国が異なっても周波数が共通するＵＨＦ帯の物理チャンネルについてチャンネル設定を行い、それにより抽出された物理チャンネルのトランスポートストリームに含まれる識別情報を用いて国設定処理を行うので、国設定を自動的に行うことができる。ＶＨＦ帯の物理チャンネルについてのチャンネル設定は、自動的に行われた国設定に対応するサーチプランに基づいて行われるので、ユーザによる国設定動作を行わなくても、国毎に物理チャンネルの周波数が異なる地上ディジタル放送のチャンネル設定を容易に実行することができ、ユーザの負担を軽減することができる。また、トランスポートストリームに必ず含まれているＮＩＴの識別情報に基づき国設定を行うので、確実に国設定を行うことができる。
【００１２】
請求項２の発明によれば、識別情報に加え、各物理チャンネルの選局時に得る受信レベル情報を用いて国設定処理を行うので、例えばサーチプランが互いに異なるような国境付近でチャンネル設定を行う際、比較的良好に地上ディジタル放送を受信可能な国を国設定として登録することが可能になる。さらに、良好に放送を受信可能な国設定のサーチプランでチャンネル設定を行うので、より確実に地上ディジタル放送を視聴可能に、容易にチャンネル設定を行うことができる。
【００１３】
請求項３の発明によれば、放送ネットワークの国を示すオリジナルネットワークＩＤに基づいて国設定を行うので、より確実に国設定処理を行うことができ、ユーザの負担を軽減することができる。
【発明を実施するための最良の形態】
【００１４】
以下、本発明の一実施形態について図面を参照して説明する。図１は、本実施形態に係る受信装置の一例を示す。受信装置１は、欧州等で採用されているＤＶＢ−Ｔ（Digital Video Broadcasting - Terrestrial）規格及びＤＶＢ−ＳＩ（Digital Video Broadcasting - Service Information）規格に準拠した地上デジタルテレビ放送を受信してユーザにより視聴可能に表示するいわゆるテレビジョン放送受像機である。上記の規格が採用された放送信号は、国ごとに物理チャンネルすなわちキャリア搬送波の周波数が異なっており、各キャリア搬送波には、複数の論理チャンネル（サブチャンネル）として、複数のトランスポートストリーム（Transport Stream；以下、ＴＳと称する）が重畳されている。ここで、論理チャンネルとは、ユーザによりテレビ視聴時に選択されるチャンネルのことをいう。ＴＳには、所定の形式で符号化された、地上ディジタル放送の番組の映像信号及び音声信号が含まれている。
【００１５】
受信装置１は、放送局から送出されアンテナ２を用いて受信した地上ディジタル放送の任意の物理チャンネルを選局し受信するチューナ１１と、チューナ１１により受信された地上ディジタル放送信号を復調しＴＳとして出力する復調部１２と、例えば制御ＬＳＩ等で構成され、チューナ１１等、受信装置１の各部の動作を制御する制御部１３と、ＲＯＭ、ＲＡＭ、又はフラッシュメモリ等で構成され、制御部１３による制御に用いられる種々の設定データ等を記憶する記憶部１４と、例えば制御部１３内に設けられたＴＳデマルチプレクサ１５及び復号部１６と、出力部１７と、無線受信部１８とを有している。チューナ１１により選局されて復調部１２から出力されたＴＳは、ＴＳデマルチプレクサ１５に入力される。ＴＳデマルチプレクサ１５は、入力されたＴＳから、そのＴＳに重畳されている論理チャンネルのうち制御部１３に指定された論理チャンネルに対応するＴＳをＴＳパケットとして分離させて取得する。所定のＴＳパケットの分離は、後述するように、そのＴＳパケットに付されている特定のＰＩＤ（パケット識別子）を基にして行われる。復号部１６は、ＴＳデマルチプレクサ１５により取得されたＴＳに含まれる符号化された映像信号及び音声信号を復号し、ディジタル映像信号及びディジタル音声信号として出力部１７に出力する。出力部１７は、例えば、ＤＡ変換回路、液晶パネルとその駆動回路、及び増幅部とスピーカ等で構成されており、復号部１６から出力された映像信号及び音声信号に基づき、ユーザに地上ディジタル放送の番組を視聴可能に出力する。無線受信部１８は、例えば、ユーザにより操作されるリモートコントローラ２０から送信された無線信号を受信し、それを操作信号として制御部１３に入力する。制御部１３は、入力された操作信号に応じて、所定の制御を行うように構成されている。すなわち、ユーザは、リモートコントローラ２０を用いて受信装置１の動作を制御することができるように構成されている。
【００１６】
本実施形態において、制御部１３は、視聴可能な物理チャンネルを抽出しチャンネルリストとして設定するチャンネル設定を行うチャンネル設定手段と、設定されているチャンネルリストから、例えばユーザからの指示に応じて視聴対象の論理チャンネルを含む物理チャンネルを選択し、その物理チャンネルを選局するようにチューナ１１に指定するチャンネル指定を行うチャンネル指定手段として機能する。チャンネル設定により設定されるチャンネルリストは、例えば、ユーザが視聴する論理チャンネルと、当該論理チャンネルを視聴する際にチューナ１１に選局させる物理チャンネルと、その物理チャンネルの周波数情報とを関連付けて登録したものであり、記憶部１４に記憶されることにより設定される。
【００１７】
チャンネル指定は、ユーザが番組を視聴する時に、例えばユーザの選局操作に応じて、適宜行われる。制御部１３は、ユーザによる選局操作があると、記憶部１４に記憶されて設定されているチャンネルリストを参照し、ユーザが視聴することを望む論理チャンネルに対応する物理チャンネルを特定し、その物理チャンネルを受信するようにチューナを１１を制御し、チャンネル指定を行う。また、制御部１３は、ＴＳデマルチプレクサ１５を制御し、上記のように、ユーザが視聴を望む論理チャンネルのＴＳを取得させる。これにより、ユーザによる選局操作に応じて、ユーザが視聴を望む論理チャンネルが視聴可能になる。
【００１８】
以下に、制御部１３の制御により行われるチャンネル設定について説明する。制御部１３は、例えば記憶部１４に登録された、所定のサーチプランに基づいてチャンネル設定を行い、受信可能な物理チャンネルを抽出する。ＤＶＢ−Ｔ（Digital Video Broadcasting - Terrestrial）規格では、物理チャンネルの周波数ステップが７ＭＨｚと８ＭＨｚとの２通りあり、例えば欧州では、ＵＨＦ帯の物理チャンネルの周波数は統一されているものの、ＶＨＦ帯の物理チャンネルの周波数は、地上ディジタル放送の放送局のある国毎に互いに異なっている場合がある。そのため、本実施形態において、国毎に予め受信可能と思われる物理チャンネルとその物理チャンネルの周波数とを関連付けて指定したサーチプランが、例えば記憶部１４に設定されている。図２は、例えば互いに隣り合うＡ国とＢ国のそれぞれのサーチプランの一例を示す。図において、５チャンネル乃至１２チャンネルの物理チャンネルはＶＨＦ帯のものであり、２１チャンネル以降の物理チャネルはＵＨＦ帯のものである。制御部１３は、このように記憶部１４に記憶されているサーチプランから、受信装置１が用いられる国のサーチプランを選択し、チャンネル設定を行う。
【００１９】
また、制御部１３は、チャンネル設定を行うとき、自動的に、受信装置１が用いられる国を識別し国設定として登録する国設定処理を行うように構成されている。すなわち、ユーザが自ら国設定を行う必要なく、適したサーチプランに基づいて自動的にチャンネル設定を実行させ、受信装置１を地上ディジタル放送を視聴可能な状態にすることができる。
【００２０】
制御部１３が行う国設定処理においては、チャンネル設定の際に取得する、各物理チャンネルのＴＳにＤＶＢ−ＳＩ規格に基づき設けられたＮＩＴ（Network Information Table）に含まれ、国毎に特有の値に設定されており、その国を識別可能な情報であるオリジナルネットワークＩＤ（original_network_id）と、そのときの物理チャンネルの信号強度を示す受信レベル情報とを用いて、受信装置１が用いられる国を識別する。このとき、ＴＳデマルチプレクサ１５は、復調部１２から入力されたＴＳからＮＩＴを格納したＴＳパケットを抽出する。各ＴＳパケットには１３ビットの情報から成るＰＩＤ（パケット識別子）が付されており、ＮＩＴを含むＴＳパケットのＰＩＤは例えば０ｘ１０とされている。従って、ＴＳデマルチプレクサ１５は、ＰＩＤが０ｘ１０とされたＴＳパケットを探し、そのＴＳパケットの中からＮＩＴを抽出し、そのＮＩＴの中からオリジナルネットワークＩＤを取り出す。
【００２１】
図３は、制御部１３の制御により行われるチャンネル設定の流れを示す。チャンネル設定は、例えば、受信装置１の新規購入時にチャンネルリストが未設定である場合や、受信装置１の設置国が変更される等、それまで設定されていたチャンネルリストが現在の地上ディジタル放送の受信環境に適合していない状態に、制御部１３の制御により自動的に、又は所定のユーザの操作に応じて手動で実行される。チャンネル設定が開始されると、まず、制御部１３は、ＵＨＦ帯の物理チャンネルについて、最小チャンネルを選択し、チャンネル設定を開始する（Ｓ１１）。各物理チャンネルにおけるチャンネル設定は、次のように行われる。すなわち、チューナ１１に当該物理チャンネルを選局し受信させ、そのＴＳのＮＩＴや放送局名等の情報を取得し放送があるかどうかを判断する（Ｓ１２）。放送があれば（Ｓ１２：ＹＥＳ）、そのＴＳのＮＩＴからオリジナルネットワークＩＤを取得し（Ｓ１３）、当該物理チャンネルと、オリジナルネットワークＩＤを含む取得した情報とを互いに関連付けてチャンネルリストに登録する（Ｓ１４）。このとき、制御部１３は、当該物理チャンネルの信号強度も、受信レベル情報として、オリジナルネットワークＩＤに合わせてチャンネルリストに登録する。当該物理チャンネルについてチャンネルリストに登録したり、また、当該物理チャンネルに放送が無かったとき（Ｓ１２：ＮＯ）、ＵＨＦ帯の全チャンネルについてチャンネル設定を終了したのでなければ（Ｓ１５：ＮＯ）、チューナ１１に次の物理チャンネルを選局させ（Ｓ１６）、全チャンネルについてチャンネル設定が終了するまで（Ｓ１５：ＹＥＳ）、チャンネル順に、同様の設定処理を行う。
【００２２】
ＵＨＦ帯の全チャンネルについてチャンネル設定が終了すると（Ｓ１５：ＹＥＳ）、制御部１３は、国設定処理を行う（Ｓ２１）。国設定処理は、ＵＨＦ帯のチャンネルについてチャンネル設定を行って記憶部１４に記憶されたチャンネルリストを参照して行われる。本実施形態において、上記のようにして生成され記憶されたチャンネルリストには、チューナ１１で受信することによりユーザが番組を視聴可能である各物理チャンネルについて、オリジナルネットワークＩＤと受信レベル情報が関連付けられて登録されている。制御部１３は、例えば、オリジナルネットワークＩＤが互いに同一である物理チャンネルの数を算出し、オリジナルネットワークＩＤ別に比較する。このとき、制御部１３は、例えば、受信レベルが大きい物理チャンネルについては、物理チャンネルの数の算出にあたり、その数を多めにする等の重み付けを行うように構成されている。制御部１３は、このようにしてオリジナルネットワークＩＤ毎の物理チャンネルの数を算出した結果、例えばその数が一番大きいオリジナルネットワークＩＤについて、そのオリジナルネットワークＩＤに対応する国を当該装置が用いられる国であると識別し、国設定として例えば記憶部１４に記憶させて登録するとともに、当該オリジナルネットワークＩＤ以外のオリジナルネットワークＩＤに関連する物理チャンネルは、視聴対象としないため、チャンネルリストから削除する。
【００２３】
制御部１３は、国設定処理を終了すると（Ｓ２１）、設定された国設定に対応するサーチプランを記憶部１４から読み出す（Ｓ２２）。そして、その読み出したサーチプランに基づき、そのサーチプランにあるＶＨＦ帯の物理チャンネルについて、順にチャンネル設定を実行する（Ｓ２３）。ＶＨＦ帯のすべてのチャンネルについてチャンネル設定が実行され、チャンネルリストが完成すると、そのチャンネルリストを記憶部１４に記憶させてチャンネル設定を終了する。
【００２４】
このように、本実施形態においては、ＵＨＦ帯の物理チャンネルについてチャンネル設定を行い、それにより抽出された物理チャンネルのＴＳに必ず含まれているＮＩＴのうち、放送ネットワークの国を示すオリジナルネットワークＩＤに基づいて国設定処理を行うので、国設定を自動的に、より確実に行うことができる。ＶＨＦ帯の物理チャンネルについてのチャンネル設定は、自動的に行われた国設定に対応するサーチプランに基づいて行われるので、ユーザによる国設定動作を行わなくても、国毎に物理チャンネルの周波数が異なる地上ディジタル放送のチャンネル設定を容易に実行することができ、ユーザの負担を軽減することができる。また、ＵＨＦ帯の物理チャンネルについてチャンネル設定を行うためにその物理チャンネルを選局した時に、同時に国設定処理に用いるオリジナルネットワークＩＤを取得するので、物理チャンネルの選局回数を増加させず、短時間でチャンネル設定を終了させることができる。
【００２５】
また、国設定は、各物理チャンネルのオリジナルネットワークＩＤのほか、その選局時に得る受信レベル情報を用いて行うので、例えばサーチプランが互いに異なるような国境付近でチャンネル設定を行う際に、比較的良好に地上ディジタル放送を受信可能な国を国設定として登録することが可能になる。良好に放送を受信可能な国設定のサーチプランでチャンネル設定を行うので、より確実に地上ディジタル放送を視聴可能に、チャンネル設定を容易に行うことができる。
【００２６】
なお、本発明は上記実施形態の構成に限定されるものではなく、発明の趣旨を変更しない範囲で適宜に種々の変形が可能である。例えば、制御部は、チャンネルリストとは別に、国設定処理に用いるオリジナルネットワークＩＤ等の情報と物理チャンネルとの対応を示す国設定リストを生成し、その国設定リストに基づいて国設定処理を行うように構成されていてもよい。また、制御部は、オリジナルネットワークＩＤに替えて、ＴＳに含まれ、その放送の国を識別しうるような他の識別情報を用いて国設定を行うように構成されていてもよい。さらにまた、制御部は、上記のようにチャンネル設定の際の各物理チャンネルの受信レベル情報を用いず、単に各物理チャンネルに対応するオリジナルネットワークＩＤのみを用いて、それに関連付けられている物理チャンネルの数が最も多いオリジナルネットワークＩＤに対応する国を受信装置が用いられる国として識別するように構成されていてもよい。
【００２７】
また、制御部は、チャンネル設定時に、一旦ＵＨＦ帯の全ての物理チャンネルについて放送があるものを抽出しておき、その後、抽出された各物理チャンネルについて再度チューナにより選局して、ＮＩＴのオリジナルネットワークＩＤ等を取得するように構成されていてもよい。この場合も、上記実施形態と同様に、自動で国設定及びチャンネル設定を実行させて、ユーザの負担を軽減させることができる。なお、受信装置は、出力部として液晶モニタやスピーカ等を有する受像機型のものに限らず、地上ディジタル放送を受信して、例えば出力部に設けられた出力端子から外部のモニタ等に映像音声出力するような、いわゆるセットトップボックス型のものであってもよい。また、受信装置は、地上ディジタル放送の他、他の種類の放送も受信可能に構成されているものであってもよい。
【図面の簡単な説明】
【００２８】
【図１】本発明の一実施形態に係る受信装置の一例を示すブロック図。
【図２】上記受信装置のサーチプランの一例を示す図。
【図３】上記受信装置のチャンネル設定の流れを示すフローチャート。
【符号の説明】
【００２９】
１  受信装置
１１  チューナ
１２  復調部
１３  制御部（チャンネル設定手段、チャンネル指定手段）
１６  復号部
【図１】
2009152740.tif 000003
【図２】
2009152740.tif 000004
【図３】
2009152740.tif 000005